(57)【要約】【課題】ダイバーシチ機能を十分に発揮可能な無線通信装置を提供すること。【解決手段】アンテナ１Ａ，１Ｂと、アンテナ１Ａ，１Ｂを切り替えるアンテナ切替スイッチと、受信した電波の受信電界強度を測定する機能を有する無線部と、無線部によって測定された受信電界強度に基づいてアンテナ切替スイッチの切替動作を制御する制御部と、各アンテナによる受信電界強度を表示する表示部７を備えたダイバーシチ機能内蔵の無線通信装置である。表示部７には、各アンテナの受信電界状態のレベル１０Ａ，１０Ｂや、受信電界強度の変化の度合いを示す電界変化表示１３が表示される。また、ＬＥＤ１１Ａ，１１Ｂによって、どちらのアンテナが選択されているかを点灯または消灯によって示す。【選択図】　　図２
2004128976.tif 000002
【特許請求の範囲】
【請求項１】
複数のアンテナを備え、実際に通信を行うためのアンテナを各アンテナの受信状態に応じて切り替える無線通信装置であって、
前記複数のアンテナの各々が受信した電波の各受信電界強度を測定する受信電界強度測定手段と、
前記受信電界強度測定手段によって測定された受信電界強度に関する情報をアンテナ毎に表示する表示手段と、
前記受信電界強度測定手段によって測定された受信電界強度に基づいて、前記表示手段が表示する形態の受信電界強度に関する情報をアンテナ毎に生成する表示情報生成手段と、
を備えたことを特徴とする無線通信装置。
【請求項２】
前記受信電界強度測定手段によって測定された各アンテナの受信電界強度をそれぞれ比較して、実際に通信を行うアンテナを前記複数のアンテナの中から選択するアンテナ選択手段を備え、
前記表示手段が、
前記アンテナ選択手段によって選択されているアンテナに対応した受信電界強度に関する情報を他のアンテナに対応した受信電界強度に関する情報と区別するための表示を行うことを特徴とする請求項１記載の無線通信装置。
【請求項３】
前記受信電界強度測定手段によって測定された過去の受信電界強度をアンテナ毎に記憶する記憶手段と、
前記受信電界強度測定手段によって測定された最新の受信電界強度と前回測定された受信電界強度とから、受信電界強度の変化率を算出する電界変化算出手段と、を備え、
前記表示情報生成手段が、前記電界変化算出手段によって算出された変化率に基づいて、前記表示手段が表示する形態の受信電界強度の変化率に関する情報を生成することを特徴とする請求項１または２記載の無線通信装置。
【発明の詳細な説明】
【０００１】
【発明の属する技術分野】
本発明は、ＰＨＳや携帯電話等の移動局と基地局とから構成される通信システムで活用される、ダイバーシチ機能内蔵の無線通信装置に関する。
【０００２】
【従来の技術】
従来、ダイバーシチ機能内蔵の無線通信装置では、選択されていないアンテナの受信状態に関する情報は表示していない。
【０００３】
図５は、ダイバーシチ機能を内蔵した従来の無線通信装置を示すブロック図である。同図に示すように、従来の無線通信装置は、アンテナ９１Ａ，９１Ｂと、これらアンテナを切り替えるアンテナ切替スイッチ９２と、アンテナ９１Ａまたはアンテナ９１Ｂで受信した電波の受信電界強度（ＲＳＳＩ）を測定する受信電界強度測定回路９４を有する無線部９３と、表示部９７が行う受信電界強度の表示に関する制御を行う表示制御部９６を有し、アンテナ１Ａによる受信電界強度とアンテナ１Ｂによる受信電界強度を比較してアンテナ切替スイッチ９２の切替動作を制御する制御部９５と、受信電界強度測定回路９４で測定された受信電界強度等を表示する表示部９７と、ユーザが発呼等を行うときに指示を入力するための複数の操作ボタンを有した操作部９８とを備えて構成されている。
【０００４】
以下、図５に示した従来の無線通信装置の動作について説明する。
アンテナ９１Ａ，９１Ｂは、待受け時、着呼したときのオフフック時、操作部９８を操作して発呼することにより通信が開始された場合に、基地局からの電波を受信する。但し、アンテナ９１Ａとアンテナ９１Ｂの受信電界強度を同時に測定することはできないため、制御部９５によってアンテナ切替スイッチ９２を制御し、アンテナ９１Ａとアンテナ９１Ｂを切り替える。
【０００５】
アンテナ９１Ａ，９１Ｂで受信した電波は、無線部９３が有する受信電界強度測定回路９４によって受信電界強度が測定される。そして、制御部９５が、受信電界強度測定回路９４によって測定された各アンテナの受信電界強度を比較して、実際に通信を行うためのアンテナを選択する。受信電界強度測定回路９４によって測定された、選択されているアンテナの受信電界強度は、制御部９５が有する表示制御部９６によって表示部９７に表示される。
【０００６】
図６に、従来の無線通信装置の外観正面図を示す。同図に示すように、表示部９７には、そのとき選択されているアンテナによる受信電界強度１０が受信電界強度バーの本数によって表される。すなわち、表示部９７に表示される受信電界強度バーは、そのとき選択されているアンテナによる受信電界強度を示すものであって、選択されていないアンテナの受信電界強度を示すものではない。このように、表示部９７には、選択されているアンテナのみの受信電界強度を表示する。
【０００７】
【発明が解決しようとする課題】
上記説明した従来の無線通信装置が有するダイバーシチ機能は、当該装置が通信エリアの圏内と圏外の境界付近に存在するような場合や、フェージング等によって受信電界強度が大きく変化するような場合に発揮されるが、表示部９７には、選択されていないアンテナによる受信電界強度やダイバーシチ機能が動作しているかといった情報は表示されない。したがって、当該装置のユーザが、特に通信中や待受け状態時に、ダイバーシチ機能の利点を十分に利用することができないという問題点があった。
【０００８】
すなわち、当該装置のユーザが、ダイバーシチ機能を十分に発揮することのできる当該装置の持ち方や置き方、最適な状態で通信可能な位置等を知ることができないため、通話断やデータ通信時のデータ誤り率の増加等を回避するための有効な対策をとれないという問題点があった。
【０００９】
本発明は、上記従来の問題点に鑑みてなされたものであって、ダイバーシチ機能を十分に発揮可能な無線通信装置を提供することを目的としている。
【００１０】
【課題を解決するための手段】
上記目的を達成するために、本発明に係る無線通信装置は、複数のアンテナを備え、実際に通信を行うためのアンテナを各アンテナの受信状態に応じて切り替える無線通信装置であって、前記複数のアンテナの各々が受信した電波の各受信電界強度を測定する受信電界強度測定手段と、前記受信電界強度測定手段によって測定された受信電界強度に関する情報をアンテナ毎に表示する表示手段と、前記受信電界強度測定手段によって測定された受信電界強度に基づいて、前記表示手段が表示する形態の受信電界強度に関する情報をアンテナ毎に生成する表示情報生成手段と、を備えている。
【００１１】
このように、表示手段には受信電界強度測定手段によって測定された受信電界強度に関する情報がアンテナ毎に表示され、当該装置のユーザは各アンテナの受信電界強度を確認することができる。したがって、ユーザは、当該装置の持ち方や置き方、より良い状態で通信可能な位置等を知ることができるため、より良い通信状態で通信を行うための有効な対策をとることができる。したがって、ダイバーシチ機能を十分に発揮可能な無線通信装置を提供することができる。
【００１２】
また、本発明に係る無線通信装置は、前記受信電界強度測定手段によって測定された各アンテナの受信電界強度をそれぞれ比較して、実際に通信を行うアンテナを前記複数のアンテナの中から選択するアンテナ選択手段を備え、前記表示手段が、前記アンテナ選択手段によって選択されているアンテナに対応した受信電界強度に関する情報を他のアンテナに対応した受信電界強度に関する情報と区別するための表示を行う。
【００１３】
このように、どちらのアンテナが選択されているかが表示部に表示されるため、当該装置のユーザは、より良い通信状態で通信を行うための有効な対策をとることができる。したがって、ダイバーシチ機能を十分に発揮可能な無線通信装置を提供することができる。
【００１４】
さらに、本発明に係る無線通信装置は、前記受信電界強度測定手段によって測定された過去の受信電界強度をアンテナ毎に記憶する記憶手段と、前記受信電界強度測定手段によって測定された最新の受信電界強度と前回測定された受信電界強度とから、受信電界強度の変化率を算出する電界変化算出手段と、を備え、前記表示情報生成手段が、前記電界変化算出手段によって算出された変化率に基づいて、前記表示手段が表示する形態の受信電界強度の変化率に関する情報を生成する。
【００１５】
したがって、受信電界強度の安定性といった観点から有効な対策をとることができる。この結果、ダイバーシチ機能を十分に発揮可能な無線通信装置を提供することができる。
【００１６】
【発明の実施の形態】
以下、本発明に係る無線通信装置の実施の形態について、図面を参照して詳細に説明する。なお、以下説明する本発明に係る無線通信装置はＰＨＳや携帯電話等であって、２ブランチのダイバーシチ機能を内蔵している。
【００１７】
図１は、本発明に係る一実施形態の無線通信装置の内部構成を示すブロック図である。同図に示すように、本実施形態の無線通信装置は、アンテナ１Ａ，１Ｂと、アンテナ切替スイッチ２と、無線部３と、特許請求の範囲のアンテナ選択手段および電界変化算出手段に該当する制御部５と、表示手段に該当する表示部７と、操作部８と、記憶手段に該当する記憶部９とを備えて構成されている。
【００１８】
以下、本実施形態の無線通信装置が有する各構成要素について説明する。
アンテナ１Ａ，１Ｂは、基地局等からの電波を受信するものであり、アンテナ切替スイッチ２によっていずれか一方に切り替えられる。また、アンテナ切替スイッチ２は、制御部５からの指示によってアンテナ１Ａ，１Ｂを切り替えるものである。また、無線部３は、アンテナ１Ａ，１Ｂで受信した電波に対して復調等を行うものであり、特許請求の範囲の受信電界強度測定手段に該当する受信電界強度測定回路４を有している。受信電界強度測定回路４は、アンテナ１Ａまたはアンテナ１Ｂで受信した電波の受信電界強度（ＲＳＳＩ）を測定するものである。
【００１９】
また、制御部５は、アンテナ１Ａによる受信電界強度とアンテナ１Ｂによる受信電界強度を比較してどちらのアンテナを選択するかを決定し、アンテナ切替スイッチ２の切替動作を制御するしたり、受信電界強度測定回路４で測定された受信電界強度を記憶部９に格納したりするものである。また、制御部５は、特許請求の範囲の表示情報生成手段に該当する表示制御部６を有している。表示制御部６は、表示部９７が行う受信電界強度の表示に関する制御を行うものである。
【００２０】
また、表示部７は、受信電界強度測定回路４で測定された受信電界強度等を表示するものであり、ＬＣＤやＬＥＤ等で構成される。また、操作部８は、ユーザが指示を入力する際に操作するものである。さらに、記憶部９は、受信電界強度測定回路４で測定された各アンテナの受信電界強度を記憶するものである。
【００２１】
図２に、本実施形態の無線通信装置の外観正面図を示す。同図に示すように、表示部７には、電池残量や電話番号等の他に、単位時間当たりの受信電界強度の変化の度合いを示す電界変化表示１３、アンテナ１Ａによる受信電界強度を示す受信電界強度バー１０Ａ、アンテナ１Ｂによる受信電界強度を示す受信電界強度バー１０Ｂ等が表示される。なお、選択されているアンテナによる受信電界強度を示す受信電界強度バーは四角で囲まれる。また、電界変化表示１３は、記憶部９に記憶されている受信電界強度を利用して制御部５で算出された結果に基づく。
【００２２】
また、図２に示すように、本実施形態の無線通信装置には、受信電界強度バー１０Ａおよび受信電界強度バー１０Ｂのそれぞれに対応するＬＥＤ１１Ａ，１１Ｂが設けられている。当該ＬＥＤ１１Ａ，１１Ｂは、アンテナ切替スイッチ２によってどちらのアンテナが選択されているかを点灯しているか否かによって示すものである。なお、ＬＥＤ１１Ａ，１１Ｂの点灯制御は制御部５によって行われる。
【００２３】
図３は、（ａ）アンテナ１Ａ選択時、（ｂ）アンテナ１Ｂ選択時、（ｃ）電界変化安定時および（ｄ）電界変化不安定時の表示部７およびＬＥＤ１１Ａ，１１Ｂの状態を示す説明図である。同図（ａ）に示すように、ＬＥＤ１１Ａが点灯、ＬＥＤ１１Ｂが消灯していればアンテナ１１Ａが選択されていることを示す。また、同図（ｂ）に示すように、ＬＥＤ１１Ａが消灯、ＬＥＤ１１Ｂが点灯していればアンテナ１１Ｂが選択されていることを示す。
【００２４】
また、同図（ｃ）に示すように、アンテナ１１Ａ，１１Ｂによる受信電界強度に変化が少ない電界変化安定時は、電界変化表示１３として微笑んだ顔のマークを表示する。また、同図（ｄ）に示すように、アンテナ１１Ａ，１１Ｂによる受信電界強度が大きく変化する電界変化不安定時は、電界変化表示１３として困った顔のマークを表示したり、そのとき選択されているアンテナに対応するＬＥＤが点滅する。
【００２５】
次に、本実施形態の無線通信装置の動作について説明する。
アンテナ１１Ａ，１１Ｂは、待受け時、着呼したときのオフフック時、操作部８を操作して発呼することにより通信が開始された場合に、基地局からの電波を受信する。但し、アンテナ１Ａとアンテナ１Ｂの受信電界強度を同時に測定することはできないため、制御部９５によってアンテナ切替スイッチ９２を制御し、アンテナ９１Ａとアンテナ９１Ｂを切り替える。
【００２６】
アンテナ１Ａ，１Ｂで受信した電波は、無線部３が有する受信電界強度測定回路４によって受信電界強度が測定される。そして、制御部５が、受信電界強度測定回路４によって測定された各アンテナの受信電界強度を比較して、実際に通信を行うためのアンテナを選択する。また、受信電界強度測定回路４によって測定された各アンテナの受信電界強度は、記憶部９に時系列に記憶される。受信電界強度測定回路４によって測定された各アンテナの受信電界強度は、制御部５が有する表示制御部６によって所定の処理が施され、受信電界強度バーの形態で表示部７に表示される。また、制御部５は、記憶部９から受信電界強度を読み出して、電界変化表示１３を行うために必要な所定の処理を行い、表示制御部６が当該処理によって得られた結果を表示部７に電界変化表示１３として表示する。
【００２７】
表示部７に表示される受信電界強度バーは、その本数によって受信電界強度の大きさが示される。以下、図４を参照して、表示部７が表示する受信電界強度バーの表示内容を決定するためのフローについて説明する。なお、図４では、受信電界強度をＲＳＳＩとし、受信電界強度バーが３本の設定値をＡ、受信電界強度バーが２本の設定値をＢ、受信電界強度バーが１本の設定値をＣ、受信電界強度バーが０本（受信電界強度のアンテナ表示のみ）の設定値をＤとしている。
【００２８】
受信電界強度測定回路４によって測定された受信電界強度（ＲＳＳＩ）がＡ以上の場合には、表示制御部６が表示部７に受信電界強度バーを３本表示させ（ステップＳ１、表示Ｈ２）、ＲＳＳＩがＢ以上Ａ未満の場合には表示部７に受信電界強度バーを２本表示させ（ステップＳ３、表示Ｈ４）、ＲＳＳＩがＣ以上Ｂ未満の場合には表示部７に受信電界強度バーを１本表示させ（ステップＳ５、表示Ｈ６）、ＲＳＳＩがＤ以上Ｃ未満の場合には表示部７に受信電界強度のアンテナ表示のみを表示させ（ステップＳ７、表示Ｈ８）、ＲＳＳＩがＤ未満の場合には表示部７に圏外表示をさせる（ステップＳ９、表示Ｈ１０）。
【００２９】
以上説明したように、本実施形態の無線通信装置によれば、表示部７にはアンテナ１１Ａ，１１Ｂによる各受信電界強度が受信電界強度バーによって示され、どちらのアンテナが選択されているかが表示部７およびＬＥＤ１１Ａ，１１Ｂによって示されるため、当該装置のユーザは各アンテナの受信電界強度を確認することができる。したがって、ユーザは、当該装置の持ち方や置き方、より良い状態で通信可能な位置等を知ることができるため、通話断やデータ通信時のデータ誤り率の増加等を回避するための有効な対策をとることができる。また、単位時間当たりの受信電界強度の変化の度合いを示す電界変化表示１３を参照することによっても、受信電界強度の安定性といった観点から有効な対策をとることができる。この結果、ダイバーシチ機能を十分に発揮可能な無線通信装置を提供することができる。
【００３０】
なお、本実施形態では、アンテナ１Ａ，１Ｂで受信した電波の受信電界強度を受信電界強度バーによって表示部７に表示しているが、受信電界強度の測定値を表示しても良い。また、各受信電界強度の比較結果を表示部７に表示して、どちらのアンテナが選択されているかを表示しても良い。また、選択されているアンテナにマークしたり、カラー表示が可能であれば色分けすることによって、どちらのアンテナが選択されているかを識別できるようにしても良い。また、電界変化不安定時には、上記説明したＬＥＤを点滅させるといった方法以外に、受信電界強度バーを点滅させたり、別の色で受信電界強度バーを表示させても良い。
【００３１】
また、本実施形態では、２ブランチのダイバーシチ（アンテナが２本）の場合について説明したが、ｎブランチ（ｎ≧３）のダイバーシチ（アンテナがｎ本）の場合にも適用することができる。
【００３２】
【発明の効果】
以上説明したように、本発明に係る無線通信装置によれば、表示手段には受信電界強度測定手段によって測定された受信電界強度に関する情報がアンテナ毎に表示され、当該装置のユーザは各アンテナの受信電界強度を確認することができるため、より良い通信状態で通信を行うための有効な対策をとることができる。したがって、ダイバーシチ機能を十分に発揮可能な無線通信装置を提供することができる。
【図面の簡単な説明】
【図１】本発明に係る一実施形態の無線通信装置の内部構成を示すブロック図
【図２】本発明に係る一実施形態の無線通信装置の外観正面図
【図３】（ａ）アンテナ１Ａ選択時、（ｂ）アンテナ１Ｂ選択時、（ｃ）電界変化安定時および（ｄ）電界変化不安定時の表示部７およびＬＥＤ１１Ａ，１１Ｂの状態を示す説明図
【図４】表示部が表示する受信電界強度バーの表示内容を決定するためのフローチャート
【図５】ダイバーシチ機能を内蔵した従来の無線通信装置を示すブロック図
【図６】従来の無線通信装置の外観正面図
【符号の説明】
１Ａ，１Ｂ　アンテナ
２　アンテナ切替スイッチ
３　無線部
４　受信電界強度測定回路
５　制御部
６　表示制御部
７　表示部
８　操作部
９　記憶部
Ｆ
【図１】
2004128976.tif 000003
【図２】
2004128976.tif 000004
【図３】
2004128976.tif 000005
【図４】
2004128976.tif 000006
【図５】
2004128976.tif 000007
【図６】
2004128976.tif 000008